(57)【要約】【課題】複数のチューナー部を搭載する受信装置において、選局対象となる放送波の周波数帯域に、選局対象外のチューナー部の局部発振周波数およびその高調波が干渉し、受信性能劣化が発生する。【解決手段】選局対象外のチューナー部の局部発信周波数およびその高調波が選局対象となる放送波の周波数帯域と重ならないように、選局対象外チューナー部の局部発信周波数を制御する。【選択図】図１
2006253885.tif 000002
【特許請求の範囲】
【請求項１】
放送波の特定チャンネルを選択し、周波数変換するチューナー部と復調回路を少なくとも２つ以上備え、前記２つ以上のチューナー部がそれぞれ独立した局部発振回路を有する受信装置において、ひとつのチューナー部が選局する放送波の周波数帯域と、選局対象外のチューナー部の局部発振周波数およびその高調波とが重なり合わないように選局対象外のチューナー部の局部発振周波数を制御し、選局対象となる放送波の受信性能劣化を防止することを特徴とする受信装置。
【請求項２】
前記２つ以上のチューナー部を同一の筐体内で構成することを特徴とする請求項１記載の受信装置。
【請求項３】
前記復調回路を共通のＬＳＩで実現することを特徴とする請求項１または２のいずれか記載の受信装置。
【請求項４】
少なくとも２つ以上の伝送方式の異なる放送波をそれぞれ周波数変換する複数のチューナー部と複数の復調回路を備え、前記複数のチューナー部が独立した局部発振回路を有する受信装置において、ひとつのチューナー部が選局する放送波の周波数帯域と、選局対象外のチューナー部の局部発振周波数およびその高調波とが重なり合わないように選局対象外のチューナー部の局部発振周波数を制御し、選局対象となる放送波の受信性能劣化を防止することを特徴とする受信装置。
【請求項５】
前記２つ以上のチューナー部を同一の筐体内で構成することを特徴とする請求項４記載の受信装置。
【請求項６】
前記複数の復調回路を共通のＬＳＩで実現することを特徴とする請求項４または５のいずれか記載の受信装置。
【請求項７】
１ＧＨｚ〜２ＧＨｚ帯のＢＳおよびＣＳデジタル放送ＩＦ信号とＵＨＦ帯の地上波デジタル放送波とをそれぞれ周波数変換するチューナー部と８ＰＳＫおよびＯＦＤＭ復調回路を備え、各チューナー部が独立した局部発振回路を有する受信装置において、ＢＳまたはＣＳデジタル放送選局時に、受信対象となる放送波の周波数帯域と、地上波デジタル放送用チューナーの局部発振周波数の高調波とが重なり合わないように地上波デジタル放送用チューナーの局部発振周波数を制御し、受信対象となる放送波の受信性能劣化を防止することを特徴とする受信装置。
【請求項８】
前記ＢＳおよびＣＳデジタル放送用チューナー部と地上波デジタル放送用チューナー部を同一の筐体内で構成することを特徴とする請求項７記載の受信装置。
【請求項９】
前記８ＰＳＫおよびＯＦＤＭ復調回路を共通のＬＳＩで実現することを特徴とする請求項７または８のいずれか記載の受信装置。
【請求項１０】
１ＧＨｚ〜２ＧＨｚ帯のＢＳおよびＣＳデジタル放送ＩＦ信号とＵＨＦ帯の地上波デジタル放送波とをそれぞれ周波数変換するチューナー部と８ＰＳＫおよびＯＦＤＭ復調回路を備え、各チューナー部が独立した局部発振回路を有する受信装置において、ＢＳまたはＣＳデジタル放送選局時に、受信対象となる放送波の周波数帯域と、地上波デジタル放送用チューナーの局部発振周波数の高調波とが重なり合わないように地上波デジタル放送用チューナーの局部発振周波数をＵＨＦ４９ｃｈ〜ＵＨＦ５７ｃｈのいずれか選局時の局部発振周波数となるように制御し、受信対象となる放送波の受信性能劣化を防止することを特徴とする受信装置。
【請求項１１】
前記ＢＳおよびＣＳデジタル放送用チューナー部と地上波デジタル放送用チューナー部を同一の筐体内で構成することを特徴とする請求項１０記載の受信装置。
【請求項１２】
前記８ＰＳＫおよびＯＦＤＭ復調回路を共通のＬＳＩで実現することを特徴とする請求項１０または１１のいずれか記載の受信装置。
【発明の詳細な説明】
【技術分野】
【０００１】
本発明はＢＳ、地上波等の放送を受信するＴＶ、ＳＴＢ（セット・トップ・ボックス）、ハードディスクおよびＤＶＤレコーダーなどの受信装置に関するものである。
【背景技術】
【０００２】
近年、放送のデジタル化が世界的に進展し、国内においても２０００年のＢＳデジタル放送開始、２００３年には地上波デジタル放送も開始され、２つ以上のデジタルチューナーを搭載するセットが一般的であり、本格的普及に向けデジタルチューナー部の低廉化が望まれている。また、ＴＶの薄型化も急速に浸透しつつあり、デジタルチューナー部の小型化要望も高まっているのが現状である。
【０００３】
従来、複数のアナログチューナーを１台のＴＶセット等に搭載する場合、特に複数のチューナーが同一チャンネルを選局時に、各チューナーの局部発振周波数が干渉し、信号にノイズが重畳され、映像にビート妨害等が発生するトラブルの回避策として、図２に示す特許文献１のように、２つのチューナーで同一チャンネルを選局時には、片側のチューナーの選局を停止させ、ひとつのチューナーの映像および音声出力を分配する等の対応が必要であった。
【特許文献１】特開平６−３０３５４１号公報
【発明の開示】
【発明が解決しようとする課題】
【０００４】
しかしながら、これらの方法では例えばＢＳデジタル放送用チューナーと地上波デジタル用チューナーとを搭載する場合のように、異なる放送方式のチューナーの複数搭載には対応できないという問題点があった。
【０００５】
また、チューナーの小型化のために、異なる放送方式に対応したチューナーおよび復調回路をひとつの筐体で実現するためには、以下の問題点があった。具体的には、一例として地上波デジタル放送波の選局が１４ｃｈの場合、すなわち局部発振回路９の発振周波数が５３６．１４３ＭＨｚの場合、その整数倍の高調波たとえば２倍高調波（１０７２．２８６ＭＨｚ）、３倍高調波（１６０８．４２９ＭＨｚ）が同時に生成される。そのため、ＢＳデジタル放送波のＢＳ−３のトランスポンダで送信される周波数帯域１０７０．５９ＭＨｚ〜１１０５．０９ＭＨｚの放送波、またはＣＳデジタル放送波のＮＤ２のトランスポンダで送信される周波数帯域１５９５．７５ＭＨｚ〜１６３０．２５ＭＨｚの放送波を視聴する場合には、前記２倍および３倍の高調波と放送周波数帯域が重なるため干渉妨害が発生し、受信性能が大きく劣化するという問題点があった。
【０００６】
さらに、その対策には基板のパターン設計最適化、シールドケース形状による空間的アイソレーションの確保等多くの検討時間と製造コストアップが必要であるという問題点があった。
【０００７】
本発明は、複数チューナー搭載時においても局部発振周波数およびその高調波の干渉による受信性能劣化の発生しない受信装置を提供することを目的とする。
【課題を解決するための手段】
【０００８】
本発明の受信装置は、放送波の特定チャンネルを選択し、周波数変換するチューナー部と復調回路を少なくとも２つ以上備え、前記２つ以上のチューナー部がそれぞれ独立した局部発振回路を有する受信装置において、ひとつのチューナー部が選局する放送波の周波数帯域と、選局対象外のチューナー部の局部発振周波数およびその高調波とが重なり合わないように選局対象外のチューナー部の局部発振周波数を制御し、選局対象となる放送波の受信性能劣化を防止することを特徴とする。
【０００９】
また本発明の受信装置は、前記２つ以上のチューナー部を同一の筐体内で構成することを特徴とする。
【００１０】
また本発明の受信装置は、前記復調回路を共通のＬＳＩで実現することを特徴とする。
【００１１】
また本発明の受信装置は、少なくとも２つ以上の伝送方式の異なる放送波をそれぞれ周波数変換する複数のチューナー部と複数の復調回路を備え、前記複数のチューナー部が独立した局部発振回路を有する受信装置において、ひとつのチューナー部が選局する放送波の周波数帯域と、選局対象外のチューナー部の局部発振周波数およびその高調波とが重なり合わないように選局対象外のチューナー部の局部発振周波数を制御し、選局対象となる放送波の受信性能劣化を防止することを特徴とする。
【００１２】
また本発明の受信装置は、前記２つ以上のチューナー部を同一の筐体内で構成することを特徴とする。
【００１３】
また本発明の受信装置は、前記複数の復調回路を共通のＬＳＩで実現することを特徴とする。
【００１４】
また本発明の受信装置は、１ＧＨｚ〜２ＧＨｚ帯のＢＳおよびＣＳデジタル放送ＩＦ信号とＵＨＦ帯の地上波デジタル放送波とをそれぞれ周波数変換するチューナー部と８ＰＳＫおよびＯＦＤＭ復調回路を備え、各チューナー部が独立した局部発振回路を有する受信装置において、ＢＳまたはＣＳデジタル放送選局時に、受信対象となる放送波の周波数帯域と、地上波デジタル放送用チューナーの局部発振周波数の高調波とが重なり合わないように地上波デジタル放送用チューナーの局部発振周波数を制御し、受信対象となる放送波の受信性能劣化を防止することを特徴とする。
【００１５】
また本発明の受信装置は、前記ＢＳおよびＣＳデジタル放送用チューナー部と地上波デジタル放送用チューナー部を同一の筐体内で構成することを特徴とする。
【００１６】
また本発明の受信装置は、前記８ＰＳＫおよびＯＦＤＭ復調回路を共通のＬＳＩで実現することを特徴とする。
【００１７】
また本発明の受信装置は、１ＧＨｚ〜２ＧＨｚ帯のＢＳおよびＣＳデジタル放送ＩＦ信号とＵＨＦ帯の地上波デジタル放送波とをそれぞれ周波数変換するチューナー部と８ＰＳＫおよびＯＦＤＭ復調回路を備え、各チューナー部が独立した局部発振回路を有する受信装置において、ＢＳまたはＣＳデジタル放送選局時に、受信対象となる放送波の周波数帯域と、地上波デジタル放送用チューナーの局部発振周波数の高調波とが重なり合わないように地上波デジタル放送用チューナーの局部発振周波数をＵＨＦ４９ｃｈ〜ＵＨＦ５７ｃｈのいずれか選局時の局部発振周波数となるように制御し、受信対象となる放送波の受信性能劣化を防止することを特徴とする。
【００１８】
また本発明の受信装置は、前記ＢＳおよびＣＳデジタル放送用チューナー部と地上波デジタル放送用チューナー部を同一の筐体内で構成することを特徴とする。
【００１９】
また本発明の受信装置は、前記８ＰＳＫおよびＯＦＤＭ復調回路を共通のＬＳＩで実現することを特徴とする。
【発明の効果】
【００２０】
本発明の受信装置は、ひとつのチューナー部が選局する放送波の周波数帯域と、その他のチューナーの局部発振周波数およびその高調波とが重なり合わないように制御することによって、受信性能劣化の発生しない安価な受信装置を提供できるという利点がある。
【発明を実施するための最良の形態】
【００２１】
特定のチューナーによって選局される放送波の周波数帯域への選局対象外チューナーの局部発振周波数の高調波干渉を防止する目的を、特別なハード的対策を必要としない簡易な方法で実現した。
（実施の形態１）
図１は本発明の実施の形態１における受信装置の構成を示すブロック図である。図１において、１は地上デジタル信号入力端子、２はＢＳ・ＣＳデジタル信号入力端子、３および７はチューナブルフィルタ、４はハイパスフィルタ、５、１６および１８は可変利得増幅器、６は低雑音増幅器、８は可変減衰器、９は地上波用局部発振回路、１０および１２は周波数変換回路、１１は地上波用チューナーＩＣ、１３はＢＳ・ＣＳ用局部発振回路、１４はＳＡＷフィルタ、１５はローパスフィルタ、１７はＢＳ・ＣＳ用チューナーＩＣ、１９は復調ＬＳＩ、２０はデータ出力端子、２１はチューナー制御端子、２２はチューナー部本体、２３はバックエンド、２４は画像表示回路である。
【００２２】
以上のように構成される受信装置の動作について、以下、説明する。図１の地上デジタル信号入力端子１に入力された地上デジタル放送波の選局をする場合、バックエンド２３から受信対象となる放送波の選局データがチューナー制御端子２０を介して復調ＬＳＩ１９に送信される。その後、選局データは復調ＬＳＩ１９に接続された地上波用チューナーＩＣ１１に転送され、地上波用局部発振回路９の発振周波数が決定される。一方、入力された地上デジタル放送信号はチューナブルフィルタ３によって選局された信号を中心に帯域が制限され、可変利得増幅器５によって増幅される。その後、チューナブルフィルタ７によって再度帯域制限を受け、周波数変換回路１０で地上波用局部発振回路９によって生成される局部発振周波数信号と混合され、中間周波数信号に変換される。以上の過程で得られた中間周波信号はＳＡＷフィルタ１４で約６ＭＨｚの帯域に制限され、可変利得増幅器１８によって所望のレベルに増幅された後、復調ＬＳＩ１９によってデジタルデータに復調される。
【００２３】
同様に、ＢＳまたはＣＳ放送を受信する場合について説明する。図１のＢＳ・ＣＳデジタル信号入力端子２に入力されたＢＳ・ＣＳデジタル放送波の選局をする場合、バックエンド２３から受信対象となる放送波の選局データがチューナー制御端子２１を介して復調ＬＳＩ１９に送信される。その後、選局データは復調ＬＳＩ１９に接続されたＢＳ・ＣＳ用チューナーＩＣ１７に転送され、ＢＳ・ＣＳ用局部発振回路１３の発振周波数が決定される。一方、入力されたＢＳ・ＣＳデジタル放送信号はハイパスフィルタ４によって放送帯域である１ＧＨｚ以上の周波数に制限され、低雑音増幅器６によって増幅された後、可変減衰器８によって周波数変換回路１２への適正な入力レベルとなるように調整される。その後、周波数変換回路１２でＢＳ・ＣＳ用局部発振回路１３で生成される局部発振周波数信号と混合され、数十ＭＨｚのＩ，Ｑ信号に変換される。以上の過程で得られたＩ，Ｑ信号はローパスフィルタ１５によって帯域制限され、可変利得増幅器１６で所望のレベルに増幅された後、復調ＬＳＩ１９によってデジタルデータに復調される。
【００２４】
ここで、ＢＳ・ＣＳデジタル放送波を選局し視聴する場合に、あらかじめ地上波用局部発振回路９の発振周波数を、その各高調波がいかなる場合でもＢＳ・ＣＳデジタル放送波の周波数帯域と重ならない局部発振周波数、すなわちＵＨＦ４９ｃｈ〜ＵＨＦ５７ｃｈを選局時の７４６．１４３ＭＨｚ〜７９４．１４３ＭＨｚとなるように、バックエンド２３からチューナー制御端子２１を介して地上波用チューナーＩＣ１１を制御し、受信性能劣化を防止することを可能としている。
【００２５】
チューナー部本体２２に地上デジタル放送用チューナー部とＢＳ・ＣＳデジタル用チューナー部および共通の復調ＬＳＩを構成しているが、復調ＬＳＩを各放送方式用に各々載置しても同様の効果が得られる。また、復調ＬＳＩをチューナー部本体２２の外部で構成しても同様の効果が得られることは言うまでもない。
【産業上の利用可能性】
【００２６】
以上のように、本発明にかかる受信装置は、ひとつのチューナー部が選局する放送波の周波数帯域と、その他のチューナーの局部発振周波数およびその高調波とが重なり合わないように制御することによって、受信性能劣化の発生しない安価な受信装置を提供できるという利点を有し、ＢＳ、地上波等の放送を受信するＴＶ、ＳＴＢ（セット・トップ・ボックス）、ハードディスクおよびＤＶＤレコーダーなどの受信装置として有用である。
【図面の簡単な説明】
【００２７】
【図１】本発明の受信装置の構成を示す図
【図２】従来の受信装置の構成を示す図
【符号の説明】
【００２８】
１    地上デジタル信号入力端子
２    ＢＳ・ＣＳデジタル信号入力端子
３    チューナブルフィルタ
４    ハイパスフィルタ
５    可変利得増幅器
６    低雑音増幅器
７    チューナブルフィルタ
８    可変減衰器
９    地上波用局部発振回路
１０    周波数変換回路
１１    地上波用チューナーＩＣ
１２    周波数変換回路
１３    ＢＳ・ＣＳ用局部発振回路
１４    ＳＡＷフィルタ
１５    ローパスフィルタ
１６    可変利得増幅器
１７    ＢＳ・ＣＳ用チューナーＩＣ
１８    可変利得増幅器
１９    復調ＬＳＩ
２０    データ出力端子
２１    チューナー制御端子
２２    チューナー部本体
２３    バックエンド
２４    画像表示回路
【図１】
2006253885.tif 000003
【図２】
2006253885.tif 000004